(57)【要約】【課題】分析領域が使用済みか否かを目視判断可能な分析用ディスクおよび分析装置を提供することを目的とする。【解決手段】分析検体の状態を測定するために装置に内蔵されている光ピックアップ３のレーザ光３ａを用いることにより使用済みのディスク領域へ絵または文字などにより分析に関連する情報をディスク面上に書き込むことで目視判断可能な分析用ディスクを作成すると共にその分析ディスクを使用することが可能な分析装置を提供する。【選択図】  図１
2004212240.tif 000002
【特許請求の範囲】
【請求項１】
少なくとも一つ以上の検体注入口を具備し、少なくとも一つ以上の検体を測定できる分析用ディスクを用い、前記分析用ディスクを回転させる回転手段と前記分析用ディスク内部に展開された検体または検体と反応した試薬にレーザ光を照射する手段と、前記レーザ光の前記分析用ディスクからの反射光もしくは透過光を用いて分析する分析手段を有する分析装置において、分析用ディスク上に分析に関連する情報を書き込む領域を設けたことを特徴とした分析用ディスク。
【請求項２】
前記分析用ディスクは、記録型光ディスクの記録領域を有し、前記レーザ光の照射による熱エネルギを用い前記記録領域の記録層を変色させることで、前記情報を書き込む領域へ絵または記号を書き込むことを特徴とした請求項１記載の分析用ディスク。
【請求項３】
前記分析用ディスクは、記録型光ディスクの記録領域を有し、前記レーザ光の照射による熱エネルギを用い前記記録領域の記録層を変色させることで、前記情報を書き込む領域へ性別、名前等、被測定者の特徴を示す個人情報を書き込むことを特徴とした請求項１記載の分析用ディスク。
【請求項４】
前記分析用ディスクは、記録型光ディスクの記録領域を有し、前記レーザ光の照射による熱エネルギを用い前記記録領域の記録層を変色させることで、前記情報を書き込む領域へ分析検体名、分析環境、分析結果、分析日付等、分析に関する分析情報を書き込むことを特徴とした請求項１記載の分析用ディスク。
【請求項５】
請求項１〜４記載の分析用ディスクを用いて分析することを特徴とした分析装置。
【請求項６】
前記情報を書き込む領域へのレーザの照射は、検体へレーザ照射しない分析動作中に実施することを特徴とした請求項５記載の分析装置。
【請求項７】
少なくとも一つ以上の検体注入口を具備し、少なくとも一つ以上の検体を測定できる分析用ディスクを用い、前記分析用ディスクを回転させる回転手段と前記分析用ディスク内部に展開された検体または検体と反応した試薬にレーザ光を照射する手段と、前記レーザ光の前記分析用ディスクからの反射光もしくは透過光を用いて分析する分析手段を有する分析装置において、分析用ディスク上に温度変化で変色する非可逆性材料が固着された領域を有し、光ピックアップのレーザ光を照射することで温度が上昇し前記非可逆性材料が変色することを特徴とした分析用ディスク。
【請求項８】
前記非可逆性材料は使用環境温度よりも高い温度に反応することを特徴とした請求項７記載の分析用ディスク。
【請求項９】
請求項７〜８記載の分析用ディスクを用いて分析することを特徴とした分析装置。
【請求項１０】
前記非可逆材料へのレーザ照射は、検体へレーザ照射しない分析動作中に実施することを特徴とした請求項９記載の分析装置。
【請求項１１】
少なくとも一つ以上の検体注入口を具備し、少なくとも一つ以上の検体を測定できる分析用ディスクを用い、前記分析用ディスクを回転させる回転手段と前記分析用ディスク内部に展開された検体または検体と反応した試薬にレーザ光を照射する手段と、前記レーザ光の前記分析用ディスクからの反射光もしくは透過光を用いて分析する分析手段を有する分析装置において、既に分析を行った領域がどこであるかという情報を分析するごとに分析用ディスクに書き込んでおくことを特徴とした分析用ディスク。
【請求項１２】
前記情報書き込む領域は、記録型光ディスクの記録領域であることを特徴とした請求項１１記載の分析用ディスク。
【請求項１３】
請求項１１〜１２記載の分析用ディスクを用いて分析することを特徴とした分析装置。
【請求項１４】
前記情報を読み取り、まだ分析を行っていない領域の中で検体が配置されている領域を前記レーザ光で検索し、検体が配置されている領域の分析を開始する処理を有することを特徴とした請求項１３記載の分析装置。
【請求項１５】
前記情報を読み取り、その情報を分析装置内または外部から分析装置を制御するホスト側の表示部に表示する機能を有することを特徴とした請求項１３記載の分析装置。
【請求項１６】
前記情報を読み取り、既に分析を行った領域をユーザが誤って選択し分析を行おうとした際に警告を発する警告手段もしくは分析を開始させない分析停止手段の少なくともどちらかの手段を有することを特徴とした請求項１３記載の分析装置。
【発明の詳細な説明】
【０００１】
【発明の属する技術分野】
本発明は、検体を測定できる分析用ディスクおよび検体もしくは検体と反応した試薬にレーザ光を照射し、その反射光もしくは透過光を用いて分析する分析装置に関し、特に検体を注入したディスクであるか否かの判別に関するものである。
【０００２】
【従来の技術】
従来の（例えば血液などの）検体を具備する分析用ディスクおよび検体を注入した分析用ディスクを回転させディスク内部に展開された検体もしくは検体と反応した試薬もしくは検体および検体と反応した試薬にレーザ光を照射し、その反射光もしくは透過光を用いて分析する分析装置は、分析用ディスクにおいて、複数の検体注入口があり分析用ディスク１枚あたり複数の検体を測定できるようになっている。（例えば特許文献１参照）
ユーザの使用に際しては、複数の注入口のうち、未使用の分析領域を選択し、検体を注入口から注入する。
分析用ディスク上には、分析領域ごとに番号が振られており、分析領域の選択はディスク上に記載してある番号をユーザがアプリケーションソフト上で指定することで行っている。
【０００３】
この従来の分析装置は、例えば図８に示すように構成されている。
【０００４】
１は、分析用ディスクであり、２は、分析用ディスクを回転させるためのモータ、３は、回転中の分析用ディスクから情報を読み取り図示しないレーザ光受光部へレーザを照射するための光ピックアップである。
【０００５】
分析用ディスク１は、ディスク基板１ａ、ディスク接着層１ｂ、ディスクカバー１ｃとで構成され、ディスク接着層１ｂの形状によって複数の検体の流路４が構成され、ディスクカバー１ｃに空いた検体注入口５から流路４へ検体を注入する構成となっている。
【０００６】
また、ディスク基板１ａは、ＣＤ−Ｒの溝形状を有したポリカーボネート基板に金属薄膜を塗布した構成となっており、金属薄膜の膜厚は薄く、光ピックアップ３からレーザ光３ａが照射された際、レーザ光は一定割合で反射光と透過光に分かれ、反射光は一般的な光ディスク装置と同様の処理に使用され、透過光は図示しないレーザ光受光部により検出され検体の分析に使用される。
【０００７】
【特許文献１】
特表２０００−５１５６３２号公報
【０００８】
【発明が解決しようとする課題】
しかしながら、１枚の分析用ディスクで複数回に分けて測定を行った場合、例えば検体が血漿成分のみである場合などは、色が殆ど無色であるために使用した領域と未使用の領域の違いが殆ど見られず、また、その他の検体であっても検体の色が薄ければ、判別がつきにくいという課題を有していた。
【０００９】
また、ユーザは分析するエリア番号をアプリケーション側へ入力しなければならず、その際誤って既に分析済みのエリア番号を指定してしまうといった危険性もあった。
【００１０】
本発明は、前記従来の課題を解決するもので、使用済みか否かを目視判断可能または、自動識別可能な分析用ディスクおよび分析装置を提供することを目的とする。
【００１１】
【課題を解決するための手段】
前記従来の課題を解決するために、本発明の分析用ディスクおよび分析装置は、検体の状態を測定するために内蔵されているレーザで使用済のディスク領域へ絵または文字を書き込んだものである。
【００１２】
これによって、使用済み領域には使用済みを示す絵または文字が記載されるので、ディスクの使用済み範囲が容易に判断できることとなる。
【００１３】
【発明の実施の形態】
請求項１記載の発明は、少なくとも一つ以上の検体注入口を具備し、少なくとも一つ以上の検体を測定できる分析用ディスクを用い、前記分析用ディスクを回転させる回転手段と前記分析用ディスク内部に展開された検体または検体と反応した試薬にレーザ光を照射する手段と、前記レーザ光の前記分析用ディスクからの反射光もしくは透過光を用いて分析する分析手段を有する分析装置において、分析用ディスク上に分析に関連する情報を書き込む領域を設けたことにより、これから使用する個所もしくは使用した個所に印を書きこむことができ、後で使用する際にどの個所まで使用済みであるか分析用ディスクを見たときに判別することができる。
【００１４】
請求項２に記載の発明は、前記分析用ディスクは、記録型光ディスクの記録領域を有し、前記レーザ光の照射による熱エネルギを用い前記記録領域の記録層を変色させることで、前記情報を書き込む領域へ絵または記号を用い使用済みの印を記入するので、実際に分析を行っているときに装置内で記入可能であるため、書き忘れ等の心配がなく、確実に使用済みのチェックを入れることができる。
【００１５】
請求項３に記載の発明は、前記分析用ディスクは、記録型光ディスクの記録領域を有し、前記レーザ光の照射による熱エネルギを用い前記記録領域の記録層を変色させることで、前記情報を書き込む領域へ性別、名前等、被測定者の特徴を示す個人情報を記入するので、書き忘れの心配がなく、確実に記入され、また、誰の測定を行ったか簡単に知ることができる。
【００１６】
請求項４に記載の発明は、前記分析用ディスクは、記録型光ディスクの記録領域を有し、前記レーザ光の照射による熱エネルギを用い前記記録領域の記録層を変色させることで、前記情報を書き込む領域へ分析検体名、分析環境、分析結果、分析日付等、分析に関する分析情報を記入するので、プリンタ等を介さず検体に関するの分析結果情報を見ることが出来る。
【００１７】
請求項５に記載の発明は、請求項１〜４記載の分析用ディスクを用いて分析することを特徴とした分析装置であり情報を記録した分析用ディスクを供給ことができる。
【００１８】
請求項６に記載の発明は、前記情報を書き込む領域へのレーザの照射は、遠心分離や測定結果分析中などの検体へレーザを照射する必要のない動作中に実施するので、情報記入により測定時間が延長されることはない。
【００１９】
請求項７に記載の発明は、少なくとも一つ以上の検体注入口を具備し、少なくとも一つ以上の検体を測定できる分析用ディスクを用い、前記分析用ディスクを回転させる回転手段と前記分析用ディスク内部に展開された検体または検体と反応した試薬にレーザ光を照射する手段と、前記レーザ光の前記分析用ディスクからの反射光もしくは透過光を用いて分析する分析手段を有する分析装置において、分析用ディスク上に温度変化で変色する非可逆性材料が固着された領域を有し、光ピックアップのレーザ光を照射することで温度が上昇し前記非可逆性材料が変色するので、使用済みの印として利用でき、後で使用する際にどの個所まで使用済みであるか分析用ディスクを見たときに判別することができる。
【００２０】
請求項８に記載の発明は、前記非可逆性材料が使用環境温度よりも高い温度に反応するので、保管時や測定時に変色することなく、レーザを用い使用した個所のみ使用済みの印をつけることができる。
【００２１】
請求項９に記載の発明は、請求項７〜８記載の分析用ディスクを用いて分析することを特徴とした分析装置であり非可逆性材料が固着された領域を有した分析用ディスクに記録するができる。
【００２２】
請求項１０に記載の発明は、前記非可逆性材料へのレーザ照射は、遠心分離動作や測定結果分析中などの検体へレーザの照射をしない分析動作中に実施するので、情報記入により測定時間が延長されることはない。
【００２３】
請求項１１に記載の発明は、少なくとも一つ以上の検体注入口を具備し、少なくとも一つ以上の検体を測定できる分析用ディスクを用い、前記分析用ディスクを回転させる回転手段と前記分析用ディスク内部に展開された検体または検体と反応した試薬にレーザ光を照射する手段と、前記レーザ光の前記分析用ディスクからの反射光もしくは透過光を用いて分析する分析手段を有する分析装置において、既に分析を行った領域がどこであるかという情報を分析するごとに分析用ディスクに書き込んでおくので、間違えて他の領域を指定した場合も誤った分析結果を得るといったことはない。
【００２４】
請求項１２に記載の発明は、前記情報書き込む領域を、記録型光ディスクの記録領域とすることで、分析用ディスクに特別な加工等を施す必要もない。
【００２５】
請求項１３に記載の発明は、請求項１１〜１２記載の分析用ディスクを用いて分析することを特徴とした分析装置であり分析有無の記録情報を記録した分析用ディスクを使用できる。
【００２６】
請求項１４に記載の発明は、前記情報を読み取り、まだ分析を行っていない領域の中で検体が配置されている領域を前記レーザ光で検索し、検体が配置されている領域の分析を開始する処理を有するので、ユーザがアプリケーションソフト上でどの領域に検体を注入したか指定する必要もなく、分析を行うことが出来る。
【００２７】
請求項１５に記載の発明は、前記情報を読み取り、その情報を分析装置内または外部から分析装置を制御するホスト側の表示部に表示する機能を有することで、ユーザは既に分析を行った領域を一目で判断でき、誤った分析を行う危険を回避することが出来る。
【００２８】
請求項１６に記載の発明は、前記情報を読み取り、既に分析を行った領域をユーザが誤って選択し分析を行おうとした際に警告を発する警告手段もしくは分析を開始させない分析停止手段の少なくともどちらかの手段を有することで、誤った分析を行う危険を回避することが出来る。
【００２９】
（実施の形態１）
以下本発明の実施の形態について、図面を参照しながら説明する。
【００３０】
図１は、本発明の一実施の形態における分析用ディスクおよび分析用ディスク装置の基本構成を示す概略図である。
図２は、分析用ディスクの構成を示す部分断面図である。
この分析装置は、主に、請求項１〜２、請求項７に記載の発明に対応する。
【００３１】
図１において、１は、分析用ディスクであり、２は、分析用ディスクを回転させるためのモータ、３は、回転中の分析用ディスクから情報を読み取り図示しないレーザ光受光部へレーザを照射するための光ピックアップである。
【００３２】
分析用ディスク１は、ディスク基板１ａ、ディスク接着層１ｂ、ディスクカバー１ｃとで構成され（図２参照）、ディスク接着層１ｂの形状によって複数の検体の流路４が構成され、ディスクカバー１ｃに空いた検体注入口５から流路４へ検体を注入する構成となっている。
【００３３】
また、ディスク基板１ａは、ＣＤ−Ｒの溝形状を有したポリカーボネート基板に記録層および金属薄膜を塗布した構成となっており、金属薄膜の膜厚は薄く、光ピックアップ３からレーザ光３ａが照射された際、レーザ光は一定割合で反射光と透過光に分かれ、反射光は一般的な光ディスク装置と同様の処理に使用され、透過光は図示しないレーザ光受光部により検出され検体の分析に使用される。
【００３４】
以上のように構成された分析用ディスクおよび分析装置について、以下その動作、作用を説明する。
【００３５】
まず、分析用ディスク１を挿入すると、モータ２が動作し分析用ディスク１が回転し始める。このとき、ディスク判別が行われ、分析用ディスクであれば、遠心分離動作に入るが、このときの動作において、分析は行われない。
【００３６】
前記遠心分離待機時間中に、光ピックアップ３は外周に設けられた情報記録エリアに対し、ＣＤ―Ｒへ情報の記録を行うのと同程度のレーザ出力にて色素を変化させる。これにより、ディスク上に絵を描くことができ、また、膜厚は透過光を通す程薄いので表面（ディスクカバー１ｃ側）からも書かれた文字・絵を見ることができる。
【００３７】
なお、分析中は、ＣＤのデータ読み取り時と同程度の低いレーザ出力で光ピックアップ３から流路４内の分析部４ａへレーザ光３ａが照射され、レーザ光３ａは一定割合で反射光と透過光に分かれ、反射光は一般的な光ディスク装置と同様の処理に使用され、透過光は図示しないレーザ光受光部により検出され検体の分析に使用される。
【００３８】
以上のように、本実施の形態においては、分析用ディスク上に測定用レーザで文字・絵を書くことにより、目視で分析用ディスクの使用状況がわかることになり、使用済みの注入口へ誤って検体を注入するなどといった間違いを防ぐことができる。
【００３９】
なお、前記情報を書き込む領域へのレーザの照射は、遠心分離の代わりに測定結果分析中に実施してもよく、遠心分離時と測定結果分析中に分けて照射してもよい。どちらの場合においても、分析にレーザを使用しない時間帯を利用しているため測定時間延長することはない。
【００４０】
また、ＣＤ−Ｒの溝形状の代わりに例えばＣＤ−ＲＷ、ＤＶＤ−Ｒ等の溝形状を使用しても同様の効果が得られることは言うまでもない。
【００４１】
（実施の形態２）
図３は、本発明の実施の形態２における分析用ディスクを示す図である。
この分析装置は、主に、請求項１、請求項３、請求項５、請求項７に記載の発明に対応する。
【００４２】
本発明の実施の形態２における分析装置は、実施の形態１の分析装置と基本的に同様の構成を有しているので、実施の形態１で用いた符号を付して説明する。
【００４３】
本発明の実施の形態２における分析装置は、本実施の形態１の絵や記号を分析用ディスク１に記入する代わりに日付情報６および被測定者情報７を記載したことである。
【００４４】
日付情報６および被測定者情報７を記載することにより、実施の形態１同様使用済みディスクであるかそうでないかを目視で簡単に判別できるとともに、誰の測定を行ったか簡単に知ることができる。
【００４５】
（実施の形態３）
図４は、本発明の実施の形態３における分析用ディスクを示す図である。
この分析装置は、主に、請求項１、請求項４、請求項７に記載の発明に対応する。
【００４６】
本発明の実施の形態３における分析装置は、実施の形態１の分析装置と基本的に同様の構成を有しているので、実施の形態１で用いた符号を付して説明する。
【００４７】
本発明の実施の形態３における分析装置は、本実施の形態１の絵や記号を分析用ディスク１に記入する代わりに分析結果８を記載したことである。
【００４８】
分析結果８を記載することにより、実施の形態１同様使用済みディスクであるかそうでないかを目視で簡単に判別できるとともに、プリンタ等を介さず検体の分析結果を見ることが出来る。
【００４９】
（実施の形態４）
図５は、本発明の実施の形態４における分析用ディスクを示す図である。
この分析装置は、主に、請求項１、請求項５、請求項６、請求項７に記載の発明に対応する。
【００５０】
本発明の実施の形態４における分析装置は、実施の形態１の分析装置と基本的に同様の構成を有しているので、実施の形態１で用いた符号を付して説明する。
【００５１】
本発明の実施の形態４における分析装置は、本実施の形態１の絵や記号を分析用ディスク１に記入する代わりに分析時の日付情報６および装置内温度等の測定条件９を記載したことである。
【００５２】
分析終了時に分析用ディスク１へその時々の装置内温度等の測定条件９を記載することにより、実施の形態１同様使用済みディスクであるかそうでないかを目視で簡単に判別できるとともに、分析用ディスク１が正常な環境下で今まで分析を行っていたかどうか確認することができる。もしも、測定時の温度上昇が通常使用温度を超えた場合は、図５のエリア番号３に記載してあるように記載ディスク上へＮＧと記載し、ユーザへ使用の禁止を促すことも可能である。
【００５３】
（実施の形態５）
図６は、本発明の実施の形態５における分析用ディスクおよび分析装置を示す概略図である。
この分析装置は、主に、請求項８、請求項９、請求項１０に記載の発明に対応する。
【００５４】
本発明の実施の形態５における分析装置は、実施の形態１の分析装置と基本的に同様の構成を有しているので、実施の形態１で用いた符号を付して説明する。
【００５５】
図６における実施の形態１との違いは、ＣＤ−Ｒ、ＣＤ−ＲＷの領域の代わりに、分析用ディスク上に温度変化で変色する非可逆塗料１０を塗布した点である。
【００５６】
前記非可逆塗料１０は、測定動作時の測定装置内部温度よりも高い温度で反応するよう設定されているため、測定時の測定装置内部温度上昇で反応することはなく、  レーザ光３ａの照射による熱エネルギでのみ塗料が変色し、使用済みの印がつくようになっている。
【００５７】
注入した検体の測定領域の外周方向に塗布された非可逆塗料１０に測定動作時にレーザ光３ａを照射することにより、非可逆塗料は変色するので、後で使用する際にどの個所まで使用済みであるか分析用ディスクを見たときに判別することができる。
【００５８】
（実施の形態６）
図７は、本発明の実施の形態６における分析用ディスクを示す図である。
この分析装置は、主に、請求項１１〜請求項１６に記載の発明に対応する。
【００５９】
図７において、斜線部８はＣＤ−ＲもしくはＣＤ−ＲＷの記録領域である。
【００６０】
本発明の実施の形態６における分析装置は、実施の形態１の分析装置と基本的に同様の構成を有しているので、実施の形態１で用いた符号を付して説明する。
【００６１】
分析用ディスク１に検体を注入口５から注入し、分析用ディスク１を分析装置へ挿入すると、モータ２により分析用ディスク１が回転し、ディスク判別が行われる。
【００６２】
このとき、分析用ディスクであれば、記録領域１１の情報を読み取りにいく。記録領域１１は、分析が終わった際に、分析に使用された領域が何番であるかという情報を書き込む領域であり、記録領域１１の情報を読み取りにいくことで、既に分析に使用された領域が何番であるか分かる。
【００６３】
次に、光ピックアップ３を分析部４ａへ移動させ、既に分析に使用された領域以外の領域の受光部により検出された信号から分析を行う領域を判断する。
【００６４】
このとき、分析を行う領域であるかないかは、例えば検体が血液であれば、白血球などの物質が分析を行う領域に含まれているかいないかで判断することができる。
【００６５】
また、濃淡による透過光の変化からでも判断することが可能である。
【００６６】
得られた情報は、分析表示内または外部から分析装置を制御するホスト側の図示しない表示部に表示される。これにより、ユーザは一目で分析済み領域を判断することができる。また、ユーザが誤って選択し分析を行おうとした際に警告を発する、または分析を開始させないといった機構を有することも可能である。
【００６７】
このように分析装置内の処理にて分析領域が特定される前記分析装置においては、ユーザは検体を注入した領域の番号を覚えておく必要がなく、間違いによる誤分析を防ぐことができる。
【００６８】
【発明の効果】
以上のように、請求項１〜１３に記載の発明によれば、複数回利用できる分析用ディスクにおいて、どの個所が既に測定済みなのか分かりにくかった分析用ディスクの測定済み個所を目視または自動で簡単に判別することができる。
【図面の簡単な説明】
【図１】本発明の実施の形態１における分析用ディスクおよび分析用ディスク装置の基本構成を示す概略図
【図２】本発明の実施の形態１における分析用ディスクの構成を示す部分断面図
【図３】本発明の実施の形態２における分析用ディスクの正面図
【図４】本発明の実施の形態３における分析用ディスクの正面図
【図５】本発明の実施の形態４における分析用ディスクの正面図
【図６】本発明の実施の形態５における分析用ディスクおよび分析用ディスク装置の基本構成を示す概略図
【図７】本発明の実施の形態６における分析用ディスクの正面図
【図８】従来の構成を示す概略図
【符号の説明】
１  分析用ディスク
１ａ  基板ディスク
１ｂ  接着層
１ｃ  カバー
２  スピンドルモータ
３  光ピックアップ
４  流路
４ａ  分析部
５  注入口
６  日付情報
７  被測定者情報
８  分析結果
９  測定条件
１０  非可逆性塗料
１１  記録領域
【図１】
2004212240.tif 000003
【図２】
2004212240.tif 000004
【図３】
2004212240.tif 000005
【図４】
2004212240.tif 000006
【図５】
2004212240.tif 000007
【図６】
2004212240.tif 000008
【図７】
2004212240.tif 000009
【図８】
2004212240.tif 000010